(57)【要約】【課題】被検者の呼吸器系の換気状態の把握にあたり、その把握の容易化および適切化を実現することができる呼気検査装置を提供する。【解決手段】被検者の呼吸気の赤外線吸収率を測定するガスセンサが通信可能に接続される本体部２０を備える呼気検査装置であって、前記本体部２０は、前記ガスセンサによる測定結果を基に、予め設定された複数回の呼吸の開始から終了までを計測単位として、前記被検者の呼気に含まれる二酸化炭素濃度を計測する計測部２１と、少なくとも前記計測単位分の前記計測部２１による計測結果を記憶する記憶部２４と、前記計測部２１による計測結果を画面表示する表示部２５と、前記表示部２５に表示させる画像として、前記計測単位分の前記二酸化炭素濃度の経時的な変化を示すカプノグラム波形の全てが画面上に並ぶ表示画像を、前記記憶部２４での記憶内容に基づいて形成する画面制御部２６と、を有する。【選択図】図３
2020074943.tif 000002
【特許請求の範囲】
【請求項１】
被検者の呼吸気の赤外線吸収率を測定するガスセンサを有したセンサプローブと、前記センサプローブが通信可能に接続される本体部と、を備える呼気検査装置であって、
前記本体部は、
前記ガスセンサによる測定結果を基に、予め設定された複数回の呼吸の開始から終了までを計測単位として、前記被検者の呼気に含まれる二酸化炭素濃度を計測する計測部と、
少なくとも前記計測単位分の前記計測部による計測結果を記憶する記憶部と、
前記計測部による計測結果を画面表示する表示部と、
前記表示部に表示させる画像として、前記計測単位分の前記二酸化炭素濃度の経時的な変化を示すカプノグラム波形の全てが画面上に並ぶ表示画像を、前記記億部での記憶内容に基づいて形成する画面制御部と、
を有する呼気検査装置。
【請求項２】
前記画面制御部は、前記計測単位について前記計測部での計測が完了した時点で、前記表示画像を形成して前記表示部に表示させる
請求項１に記載の呼気検査装置。
【請求項３】
前記画面制御部は、前記計測単位を構成する複数回の呼吸に要した時間に応じて、前記表示画像におけるカプノグラム波形の時間軸スケールを調整する機能を有する
請求項１または２に記載の呼気検査装置。
【請求項４】
前記画面制御部は、前記計測部による前記二酸化炭素濃度の計測結果に応じて、前記表示画像におけるカプノグラム波形の濃度レンジを調整する機能を有する
請求項１から３のいずれか１項に記載の呼気検査装置。
【請求項５】
前記本体部は、当該本体部の利用者が操作する操作部を有しており、
前記画面制御部は、前記表示部に表示させる前記表示画像の表示態様を、前記操作部での操作に応じて可変させる
請求項１から４のいずれか１項に記載の呼気検査装置。
【請求項６】
前記画面制御部は、前記表示画像の表示態様の可変にあたり、当該表示画像におけるカプノグラム波形の時間軸スケールを可変させる
請求項５に記載の呼気検査装置。
【請求項７】
前記画面制御部は、予め用意された複数の時間軸スケールのいずれかを前記操作部での操作に応じて選択的に適用する
請求項６に記載の呼気検査装置。
【請求項８】
前記画面制御部は、前記表示画像の表示態様の可変にあたり、当該表示画像においてカプノグラム波形を並べる際の表示基準位置を可変させる
請求項５から７のいずれか１項に記載の呼気検査装置。
【請求項９】
前記画面制御部は、前記表示基準位置として、前記計測単位を構成する複数回の呼吸のそれぞれに対応する各カプノグラム波形の波形立ち上がり位置のいずれかを、前記操作部での操作に応じて選択的に適用する
請求項８に記載の呼気検査装置。
【請求項１０】
前記画面制御部は、前記計測単位を構成する複数回の呼吸のそれぞれに対応する各カプノグラム波形のうちのいずれかを、前記操作部での操作に応じて選択的に前記表示部に表示させる
請求項５に記載の呼気検査装置。
【請求項１１】
前記画面制御部は、前記表示部に表示させる画像として、前記センサプローブでの呼気測定状態と吸気測定状態とを識別可能にするアイコン画像を、前記ガスセンサによる測定結果に基づいて形成する
請求項１から１０のいずれか１項に記載の呼気検査装置。
【請求項１２】
前記本体部は、前記計測単位について前記計測部での計測が完了した時点で、その旨の音出力を行う音出力部を有する
請求項１から１１のいずれか１項に記載の呼気検査装置。
【発明の詳細な説明】
【技術分野】
【０００１】
本発明は、呼気に含まれる二酸化炭素濃度を計測可能な呼気検査装置に関する。
【背景技術】
【０００２】
近年、医療や介護等の現場において、ＥｔＣＯ２（Ｅｎｄ  ｔｉｄａｌ  ＣＯ２）のモニタリングが行われることがある。ＥｔＣＯ２は、呼気終末二酸化炭素濃度のことで、血液ガス分析から得られる動脈血二酸化炭素分圧（ＰａＣＯ２）との相関性が高いことが知られている。そのため、ＥｔＣＯ２をモニタリングして、そのＥｔＣＯ２からＰａＣＯ２の変化を推測することで、被検者の呼吸器系における換気状態を非侵襲的に把握することが可能となる。
【０００３】
ＥｔＣＯ２のモニタリングは、カプノメータと呼ばれる呼気検査装置を用いて行われる。呼気検査装置としては、例えば、赤外線が二酸化炭素に吸収される性質を利用して、被検者が予め設定された複数回（例えば５以上７以下の回数）の呼吸を行う間に、その被検者の呼気に含まれる二酸化炭素濃度を計測し、その計測結果を表示出力するように構成されたものがある（例えば、特許文献１参照）。
【先行技術文献】
【特許文献】
【０００４】
【特許文献１】特開２０１７−１８７３６５号公報
【発明の概要】
【発明が解決しようとする課題】
【０００５】
ＥｔＣＯ２のモニタリングに際しては、呼気検査装置における表示出力を参照しつつ、医療従事者や介護従事者等が被検者の呼吸器系の換気状態を把握する。そのため、呼気検査装置における表示出力については、被検者の呼吸器系の換気状態の把握の容易化および適切化が図れるものであることが望ましい。
【０００６】
しかしながら、従来の呼気検査装置では、必ずしも被検者の呼吸器系の換気状態の把握の容易化および適切化が図れるとは限らない。例えば、呼気検査装置においては、二酸化炭素濃度の計測結果として、二酸化炭素濃度の経時的な変化を示すカプノグラム波形を表示出力することがある。ただし、従来、カプノグラム波形については、掃引表示を行うものが一般的である。そのため、特に被検者の複数回の呼吸の間を計測対象期間とした場合には、表示出力のタイミングや態様等によって、カプノグラム波形の解析を的確に行うことが困難になるおそれがある。
【０００７】
本発明は、被検者の呼吸器系の換気状態の把握にあたり、その把握の容易化および適切化を実現することができる呼気検査装置を提供することを目的とする。
【課題を解決するための手段】
【０００８】
本発明の一態様は、上記目的を達成するために案出されたもので、
被検者の呼吸気の赤外線吸収率を測定するガスセンサを有したセンサプローブと、前記センサプローブが通信可能に接続される本体部と、を備える呼気検査装置であって、
前記本体部は、
前記ガスセンサによる測定結果を基に、予め設定された複数回の呼吸の開始から終了までを計測単位として、前記被検者の呼気に含まれる二酸化炭素濃度を計測する計測部と、
少なくとも前記計測単位分の前記計測部による計測結果を記憶する記憶部と、
前記計測部による計測結果を画面表示する表示部と、
前記表示部に表示させる画像として、前記計測単位分の前記二酸化炭素濃度の経時的な変化を示すカプノグラム波形の全てが画面上に並ぶ表示画像を、前記記億部での記憶内容に基づいて形成する画面制御部と、
を有する呼気検査装置である。
【発明の効果】
【０００９】
本発明によれば、被検者の呼吸器系の換気状態の把握にあたり、その把握の容易化および適切化を実現することができる。
【図面の簡単な説明】
【００１０】
【図１】本発明の一実施形態に係る呼気検査装置の概略構成例を示すブロック図である。
【図２】本発明の一実施形態に係る呼気検査装置におけるセンサプローブの概略構成例を示す分解斜視図である。
【図３】本発明の一実施形態に係る呼気検査装置における本体部の機能構成例を示すブロック図である。
【図４】本発明の一実施形態に係る呼気検査装置における本体部の外観構成例を模式的に示す示す説明図である。
【図５】本発明の一実施形態に係る呼気検査装置におけるセンサプローブの使用態様を示す説明図である。
【図６】本発明の一実施形態に係る呼気検査装置で得られるカプノグラム波形の概念を例示的に示す説明図である。
【図７】本発明の一実施形態に係る呼気検査装置の表示部が画面表示する表示画像の具体例を示す説明図であり、（ａ）は二酸化炭素濃度の計測開始前の状態を示す図、（ｂ）は二酸化炭素濃度の計測中の状態を示す図、（ｃ）は二酸化炭素濃度の計測完了時点での表示画像を示す図である。
【図８】本発明の一実施形態に係る呼気検査装置の画面制御部による表示画像の表示態様可変の具体例を示す説明図（その１）であり、表示画像におけるカプノグラム波形の時間軸スケールを可変させる場合の具体例を示す図である。
【図９】本発明の一実施形態に係る呼気検査装置の画面制御部による表示画像の表示態様可変の具体例を示す説明図（その２）であり、表示画像におけるカプノグラム波形を並べる際の表示基準位置を可変させる場合の具体例を示す図である。
【発明を実施するための形態】
【００１１】
以下、図面に基づき本発明に係る呼気検査装置について説明する。
【００１２】
＜１．呼気検査装置の構成例＞
本実施形態で例に挙げて説明する呼気検査装置は、被検者の呼気に含まれる二酸化炭素濃度を計測するように構成されたものである。さらに詳しくは、赤外線が二酸化炭素に吸収される性質を利用して、被検者が予め設定された複数回の呼吸を行う間に、その被検者の呼気に含まれる二酸化炭素濃度を計測し、その計測結果を表示出力するように構成されたものである。
以下、呼気検査装置の構成例について説明する。
【００１３】
（全体構成）
図１は、本実施形態に係る呼気検査装置の概略構成例を示すブロック図である。
図示した呼気検査装置１は、大別すると、センサプローブ１０と、装置本体となる本体部２０と、を備えて構成されている。センサプローブ１０は、呼気検査に際して被検者が取り扱うものである。本体部２０は、呼気検査に際して検者（医療従事者や介護従事者等）が取り扱うものである。センサプローブ１０と本体部２０とは、互いに通信可能に接続されている。本実施形態においては、一例として、センサプローブ１０と本体部２０とをケーブルによって接続するものとする。
【００１４】
（センサプローブ）
図２は、本実施形態に係る呼気検査装置におけるセンサプローブの概略構成例を示す分解斜視図である。
図示したセンサプローブ１０は、ケース１１（１１ａ，１１ｂ）と、流路形成部材としてのエアウェイ部材１２と、ガスセンサ１３（１３ａ，１３ｂ）と、マウスピース１４と、ケーブル１５と、を備えて構成されている。
【００１５】
ケース１１（１１ａ，１１ｂ）は、少なくともエアウェイ部材１２およびガスセンサ１３を収容するとともに、これらを収容した状態で被検者が把持し得るように構成されたものである。このようなケース１１（１１ａ，１１ｂ）は、例えば、ＡＢＳ（アクリロニトリル・ブタジエン・スチレン）樹脂等の樹脂材料によって形成することが考えられるが、樹脂材料に限定されることはなく、他の材料（例えば金属材料）によって形成されたものであってもよい。
【００１６】
エアウェイ部材１２は、被検者の呼吸気（呼気および吸気）の流路を形成するものである。そのために、エアウェイ部材１２は、一端側に第１の筒部１２ａが形成され、他端側に第２の筒部１２ｂが形成され、これらの間が気密構造の図示せぬ流路によって連通されるように構成されている。なお、流路には、後述する赤外線を透過させる図示せぬ検知窓が形成されているものとする。このようなエアウェイ部材１２は、例えば、色相が透明なＰＥＴ（ポリエチレンテレフタレート）等の樹脂材料によって一体成型で形成することが考えられる
【００１７】
ガスセンサ１３は、赤外線を出射（発光）する発光部１３ａと、その赤外線を受光する受光部１３ｂと、を用いて構成されている。ガスセンサ１３は、エアウェイ部材１２に搭載されて、そのエアウェイ部材１２と一体化されたものであってもよい。ここでいう「一体化」とは、エアウェイ部材１２とガスセンサ１３とが物理的な結合手段（ネジ締結、接着等）を利用して互いに固定されていて、全体として一つにまとまっている構成をいう。
発光部１３ａは、第１のセンサ基板１６ａに実装されている。また、受光部１３ｂは、第２のセンサ基板１６ｂに実装されている。第１のセンサ基板１６ａ上の発光部１３ａと第２のセンサ基板１６ｂ上の受光部１３ｂとは、エアウェイ部材１２の流路を挟んで対向する状態に配置される。そして、発光部１３ａが検知窓を介して流路に向かって出射した赤外線を、受光部１３ｂが検知窓を介して受光するようになっている。
【００１８】
マウスピース１４は、エアウェイ部材１２の第１の筒部１２ａに嵌入される筒状の部材で構成されており、長手方向の両端部をそれぞれ開口したストロー形状に形成されている。ここでいう「ストロー形状」とは、中心軸が真っ直ぐ（直線上）に延びる円筒形をいう。マウスピース１４の両端縁には、それぞれ開口１４ａ，１４ｂが形成されている。マウスピース１４の手前側（第１の筒部１２ａに嵌入されない側）の端縁は内向きに丸みをつけたすぼみ部１４ｃとなっており、このすぼみ部１４ｃによる開口径の縮小分だけ手前側の開口１４ａが奥側（第１の筒部１２ａに嵌入される側）の開口１４ｂよりも小径になっている。このようにマウスピース１４の一端部にすぼみ部１４ｃを設けることにより、マウスピース１４の開口１４ａ側を被検者が口にくわえるときに、すぼみ部１４ｃの丸みによって口当たりが柔らかくなる。また、マウスピース１４をくわえて被検者が呼吸するときに、唾液がマウスピース１４内に侵入しにくくなる。マウスピース１４は、金属製、樹脂製、紙製のいずれであってもよい。
【００１９】
マウスピース１４は、好ましくは、エアウェイ部材１２の第１の筒部１２ａに対して着脱可能なディスポーザブル（使い捨て品）とするのがよい。この場合は、コスト等の観点から、マウスピース１４を樹脂製または紙製とするのがよい。本実施形態では、マウスピース１４を樹脂の一体構造で構成している。その場合、マウスピース１４の構成材料は、製造の容易性やコスト等の観点から、ポリプロピレンとすることが好ましい。また、マウスピース１４は、好ましくは、数個単位〜十数個単位の個別滅菌包装、より好ましくは、一個単位の個別滅菌包装で提供され、そこから一個ずつ取り出して使用することが好ましい。
【００２０】
ケーブル１５は、センサプローブ１０（特に、当該センサプローブ１０における第１のセンサ基板１６ａおよび第２のセンサ基板１６ｂ）と本体部２０とを電気的に接続するためのものである。ケーブル１５の長さは、必要に応じて適切な長さに設定される。ケーブル１５は、センサプローブ１０から本体部２０にガスセンサ１３を駆動するための電力を供給したり、本体部２０とセンサプローブ１０との間でガスセンサ１３の駆動を制御する制御信号の受け渡しをしたり、ガスセンサ１３で検出した結果を電気信号として出力したりするために用いられる。
【００２１】
（本体部）
図３は、本実施形態に係る呼気検査装置における本体部の機能構成例を示すブロック図である。
図示した本体部２０は、所定の情報処理を行うコンピュータ装置を利用して構成されたもので、計測部２１と、カウント部２２と、検知部２３と、記憶部２４と、表示部２５と、画面制御部２６と、操作部２７と、音出力部２８としての機能を備えて構成されている。
【００２２】
計測部２１は、ガスセンサ１３による測定結果を基に、被検者の呼気に含まれる二酸化炭素濃度（ＥｔＣｏ２）を計測するものである。計測部２１においては、例えば、ガスセンサ１３から出力される電気信号に対して所定のアルゴリズムに基づく信号処理を施すことにより、その電気信号を呼気中の二酸化炭素濃度を示す数値（単位：ｍｍＨｇ）に変換することで、二酸化炭素濃度の計測を行う。二酸化炭素濃度の計測は、例えばガスセンサ１３の駆動周波数に応じて、所定の周期毎に行うものとする。
また、計測部２１による二酸化炭素濃度の計測は、詳細を後述するように、予め設定された複数回（すなわち後述するＮ回）の呼吸の開始から終了までを計測単位として、その計測単位の間は継続的に行うものとする。つまり、計測単位分のＮ回（Ｎは２以上の整数）の呼吸を被検者が行う期間については、計測部２１が継続的に二酸化炭素濃度の計測の計測を行うようになっている。Ｎの値は、好ましくは３以上１０以下、より好ましくは４以上８以下、さらに好ましくは５以上７以下である。本実施形態では、特に好ましい例として、Ｎ＝６に設定されている場合について説明する。
なお、計測部２１で計測された二酸化炭素濃度の値は、その値を得たタイミング（時刻情報等）と対応付けられた状態で、記憶部２４に記憶されるようになっている。
【００２３】
カウント部２２は、被検者の呼吸回数をカウントするものである。このカウント部２２においては、ガスセンサ１３から出力される電気信号の経時的なレベル変化を示す波形、または、計測部２１で計測される二酸化炭素濃度（ＥｔＣｏ２）の経時的な変化を示す波形（以下、「カプノグラム波形」ともいう。）を用いて、呼吸回数をカウントする。本実施形態では、一例として、カプノグラム波形を用いて、呼吸回数をカウントするものとする。その場合、１回の呼吸期間（以下、「一呼吸期間」ともいう。）内には、息を吐き出す期間と息を吸い込む期間があり、それぞれの期間に応じて二酸化炭素濃度の出力波形が変化する。このため、カウント部２２は、このカプノグラム波形の変化に基づいて、呼吸回数をカウントすることができる。
【００２４】
検知部２３は、計測部２１による二酸化炭素濃度の計測結果を基に、被検者が呼吸した際の二酸化炭素濃度の最大値を検知するものである。この検知部２３では、一呼吸期間毎に山形に現れるカプノグラム波形のなかで最も二酸化炭素濃度が高いピーク値を、一呼吸あたりの二酸化炭素濃度の最大値として検知する。各回の呼吸期間に計測部２１が計測する二酸化炭素濃度の値は記憶部２４に記憶されるため、検知部２３は、カウント部２２が呼吸回数を１回カウントアップするたびに、一呼吸期間内に計測部２１が計測した二酸化炭素濃度の最大値を検知する。このため、一呼吸あたりの二酸化炭素濃度の最大値は、一呼吸期間内での二酸化炭素濃度の最大値と読み替えることができる。
なお、検知部２３は、カウント部２２でカウントした回数がＮ回（本形態例では６回）に達した場合に、各回の呼吸における二酸化炭素濃度の最大値を比較することにより、Ｎ回の呼吸回数期間における二酸化炭素濃度の最大値を検出するものであってもよい。
また、検知部２３は、検知した二酸化炭素濃度の最大値を平均化処理するものであってもよい。本実施形態においては、一例として、移動平均法を適用するものとする。そうした場合、検知部２３は、カウント部２２でカウントする呼吸回数が１回増えるごとに、それまでに検知した二酸化炭素濃度の最大値を移動平均法によって平均化する。
【００２５】
記憶部２４は、計測部２１による計測結果を記憶するものである。この記憶部２４では、計測部２１による計測結果として、その計測部２１で計測された二酸化炭素濃度の値を、その値を得たタイミング（時刻情報等）と対応付けて記憶するようになっている。
なお、記憶部２４は、少なくとも一つの計測単位分（すなわちＮ回の呼吸分）の計測部２１による計測結果を記憶し得る記憶容量を確保しているものとする。
また、記憶部２４は、計測部２１による計測結果に加えて、検知部２３が検知した二酸化炭素濃度の最大値、または、検知部２３での平均化処理によって得られた平均値を記憶するものであってもよい。
【００２６】
表示部２５は、計測部２１による計測結果を画面表示するものである。表示部２５が画面表示する計測結果には、詳細を後述するように、少なくとも二酸化炭素濃度（ＥｔＣｏ２）の経時的な変化を示すカプノグラム波形が含まれる。また、表示部２５が画面表示する計測結果には、検知部２３で検知した二酸化炭素濃度の最大値または平均値が含まれていてもよい。このような表示部２５は、例えば、液晶ディスプレイ、有機ＥＬディスプレイ等を用いて構成することができる。
【００２７】
画面制御部２６は、表示部２５による画面表示を制御するものである。この画面制御部２６では、計測部２１による計測結果を表示部２５が画面表示する際に、その画面表示に必要となる表示画像を形成して表示部２５に表示させることで、その画面表示を制御する。そのために、画面制御部２６は、表示画像を形成するための画像処理を行う機能を有して構成されている。なお、画面制御部２６による表示制御の具体例については、詳細を後述する。
【００２８】
操作部２７は、本体部２０を取り扱う利用者（すなわち、呼気検査の検者である医療従事者や介護従事者等）が操作するものである。そのために、操作部２７は、各種の操作ボタンを有して構成されている。
【００２９】
音出力部２８は、センサプローブ１０を取り扱う被検者または本体部２０を取り扱う利用者に対して、所定の音（例えばブザー音）の出力を行うものである。このような音出力部２８は、例えば、スピーカ等を用いて構成することができる。
【００３０】
図４は、本実施形態に係る呼気検査装置における本体部の外観構成例を模式的に示す説明図である。
図示した本体部２０は、本体部２０を取り扱う利用者に面する筐体正面側に、ディスプレイ画面を有する表示部２５と、操作ボタンや操作スイッチ等を有する操作部２７とが、隣り合うように並んで配置されている。なお、本体部２０の筐体正面側には、表示部２５および操作部２７に加えて、センサプローブ１０のケーブル１５を接続するためのコネクタ１５ａが配置されていてもよい。
【００３１】
操作部２７には、少なくとも、本体部２０の電源オンオフを切り換えるための電源ボタン２７ａと、本体部２０の利用者が適宜操作するためのアップボタン２７ｂ、ダウンボタン２７ｃおよびエンターボタン２７ｄと、が配置されている。なお、操作部２７には、さらに他のボタン（ただし不図示）が配置されていてもよい。
【００３２】
アップボタン２７ｂ、ダウンボタン２７ｃおよびエンターボタン２７ｄは、主として、本体部２０が動作する際の設定や動作モード等を切り換える操作を行うために用いられる。ただし、アップボタン２７ｂおよびダウンボタン２７ｃについては、詳細を後述するように、表示部２５が画面表示を行う際の表示態様を可変させるための操作ボタンとしても兼用される。
【００３３】
＜２．呼気検査装置の処理動作例＞
次に、上述した構成の呼気検査装置１における処理動作例について説明する。
【００３４】
（二酸化炭素濃度の計測）
まず、呼気検査装置１における基本的な処理動作として、その呼気検査装置１を用いて二酸化炭素濃度（ＥｔＣｏ２）を計測する場合の手順を説明する。
【００３５】
図５は、本実施形態に係る呼気検査装置におけるセンサプローブの使用態様を示す説明図である。
図例のように、呼気検査装置１を用いた行う呼気検査に際しては、まず、呼気検査を受ける被検者の手にセンサプローブ１０のケース１１を持たせ、マウスピース１４の開口１４ａ側を被検者の口にくわえさせる。そして、その状態で被検者に自然に呼吸をさせ、その状況でガスセンサ１３を用いた呼気検査を行う。
【００３６】
被検者がマウスピース１４を口にくわえて呼吸すると、被検者の呼吸に応じて、センサプローブ１０のエアウェイ部材１２における流路を呼気および吸気が交互に流れる。このような状況の下で、ガスセンサ１３は、発光部１３ａから赤外線を発光するとともに、この赤外線を受光部１３ｂで受光することにより、流路内を流れる呼気中の二酸化炭素濃度を検出する。これに対して、二酸化炭素は、発光部１３ａから出射される赤外線を吸収する性質を有する。そのため、流路内を流れる二酸化炭素の濃度が相対的に高ければ、その分だけ二酸化炭素に吸収される赤外線の割合が多くなる。よって、受光部１３ｂにおける赤外線の受光量は相対的に少なくなる。これとは逆に、流路内を流れる二酸化炭素の濃度が相対的に低ければ、その分だけ二酸化炭素に吸収される赤外線の割合が少なくなる。よって、受光部１３ｂにおける赤外線の受光量は相対的に多くなる。したがって、受光部１３ｂが受光した赤外線の受光量に基づいて、被検者の呼気に含まれる二酸化炭素濃度を測定することが可能となる。このような二酸化炭素濃度の測定には、例えば、波長が３．７５μｍ以上４．３５μｍ以下の中赤外線を用いるとよい。
【００３７】
実際の測定では、受光部１３ｂが出力する電気信号が、ケーブル１５を通して本体部２０に送られる。このとき、本体部２０では、以下のような処理が行われる。
【００３８】
本体部２０では、まず、計測部２１が、ガスセンサ１３から出力される電気信号を基に、呼気中の二酸化炭素濃度を計測する。具体的には、計測部２１は、ガスセンサ１３から出力される電気信号を所定のアルゴリズムにしたがって処理することにより、その電気信号を呼気中の二酸化炭素濃度（ＥｔＣｏ２）を示す数値（単位：ｍｍＨｇ）に変換する。このようにして二酸化炭素濃度値を得る度に、計測部２１は、その二酸化炭素濃度値を記憶部２４に記憶させる。
【００３９】
また、カウント部２２は、二酸化炭素濃度値の経時的な変化を示すカプノグラム波形を用いて、被検者の呼吸回数をカウントする。
図６は、カプノグラム波形の概念を例示的に示す説明図である。図例においては、縦軸に二酸化炭素濃度（ＥｔＣＯ２）の計測値、横軸に時間をとり、計測値を時系列でプロットすることでカプノグラム波形が構成されている。
実際に被検者が呼吸を繰り返すと、カプノグラム波形は、次のように変化する。すなわち、被検者が息を吐き出し始めると、二酸化炭素濃度値が急激に上昇し、その後、緩やかな上昇傾向に転じる。次いで、被検者が息の吸い込みを開始すると、二酸化炭素濃度値が急速に減少する。このため、カプノグラム波形は山形の波形となり、この山形の波形が被検者の呼吸回数に応じて連続的に現れる。
また、被検者が呼吸を開始する前の状況では、ガスセンサ１３からの電気信号に基づく二酸化炭素濃度の計測値が０ｍｍＨｇまたはこれに近い値（数ｍｍＨｇ）となる。そこで、カウント部２２は、例えば、計測部２１で計測される二酸化炭素濃度値が予め設定された所定値（例えば、２０ｍｍＨｇ）を超えたタイミングを呼気開始タイミングとして検知し、その後、その二酸化炭素濃度値が当該所定値以下になったタイミングを吸気終了タイミングとして検知する。そして、呼気開始タイミングから吸気終了タイミングまでの期間を「一呼吸期間」とみなし、この一呼吸期間（換言すると、一つの山型の波形）を１回の呼吸としてカウントする。これにより、被検者が１回呼吸するごとに、カウント部２２でカウントされる呼吸回数が１回ずつ加算されていく。
【００４０】
このとき、検知部２３は、カウント部２２でカウントされる呼吸回数が１回加算されると、その都度、一呼吸期間毎の二酸化炭素濃度の最大値を検知する。例えば、カウント部２２でカウントされる呼吸回数が１回となった場合は、１回目の呼吸で計測部２１により得られた二酸化炭素濃度の計測結果を基に、一呼吸期間における二酸化炭素濃度の最大値を検知する。また、２回目以降の呼吸についても同様である。これにより、カウント部２２でカウントした呼吸回数分だけ、各回の一呼吸あたりの二酸化炭素濃度の最大値が検知部２３によって検知される。
また、検知部２３は、各回の呼吸における二酸化炭素濃度の最大値を比較することにより、Ｎ回の呼吸回数期間における二酸化炭素濃度の最大値を検出してもよい。さらには、検知部２３は、検知した二酸化炭素濃度の最大値を平均化処理してもよい。
このような検知結果を得る度に、検知部２３は、その検知結果を記憶部２４に記憶させる。
【００４１】
そして、カウント部２２でカウントされる呼吸回数が予め設定されたＮ回（本形態例では６回）に達すると、計測部２１および検知部２３は、一つの計測単位分についての処理が完了したと判断する。
【００４２】
一つの計測単位分についての処理が完了すると、表示部２５は、その計測単位分の計測結果として、画面制御部２６が形成した表示画像を画面表示する。つまり、画面制御部２６は、計測単位について計測部２１での計測が完了した時点で、その計測単位分の計測結果を示す表示画像を形成して表示部２５に表示させる。なお、表示部２５が画面表示する表示画像については、その詳細を後述する。
【００４３】
このとき、音出力部２８は、一つの計測単位分についての処理が完了した時点で、所定の音（例えばブザー音）を利用して、その旨の音出力を行うようにしてもよい。このような音出力を行えば、呼気検査の被検者や検者等に対して、検査終了を報知することができる。したがって、表示部２５での画面表示を視認していなくても、検査終了を容易かつ的確に知ることができるので、呼気検査の被検者や検者等にとっては非常に使い勝手がよいものとなる。
【００４４】
以上のように、本体部２０では、被検者の呼気に含まれる二酸化炭素濃度（ＥｔＣＯ２）の計測にあたり、予め設定されたＮ回（本形態例では６回）の呼吸の開始から終了までを計測単位とする。これにより、動脈血中の二酸化炭素濃度に対して、より高い相関を示す二酸化炭素濃度を計測することができる。その理由は、下記のとおりである。
【００４５】
例えば、被検者が呼吸系に疾患をもたない者である場合は、呼吸の仕方が適度に深くて安定した傾向を示すため、カプノグラム波形に現れるバラツキが小さくなる。これに対して、被検者が慢性閉塞性肺疾患（以下、「ＣＯＰＤ」ともいう。）の患者である場合は、呼吸の仕方が浅くて安定しない傾向を示すため、カプノグラム波形にバラツキが生じやすくなる。そのため、Ｎ回に及ぶ呼吸回数の分だけ、各回の一呼吸あたりの二酸化炭素濃度の最大値を把握できるようにすれば、動脈血中の二酸化炭素濃度に対して、より高い相関を示す二酸化炭素濃度の計測結果を得ることが可能となる。つまり、Ｎ回の呼吸の開始から終了までを計測単位とすることで、動脈血中の二酸化濃度を測定しなくても、ＣＯＰＤの診断をより正確に行うことが可能となる。
【００４６】
特に、被検者がＣＯＰＤの患者である場合には、６回ほど呼吸する間に少なくとも１回は相対的に深い呼吸が含まれ、そのときの呼気に含まれる二酸化炭素濃度の最大値が、動脈血中の二酸化炭素濃度との相関が強いという知見が得られている。そのため、Ｎの値は、６またはその前後（５以上７以下）に設定すると好適である。これにより、動脈血中の二酸化炭素濃度との相関が強い二酸化炭素濃度の計測結果を、より短い検査時間（呼吸回数）で得ることができる。
【００４７】
（計測結果を示す表示画像）
次に、二酸化炭素濃度の計測結果として表示部２５が画面表示する表示画像について、具体例を挙げて説明する。
図７は、表示画像の具体例を示す説明図である。
【００４８】
呼気検査による二酸化炭素濃度の計測開始前において、表示部２５のディスプレイ画面は、例えば、図７（ａ）に示す表示状態となっている。すなわち、図示したディスプレイ画面上では、二酸化炭素濃度値の表示領域２５ａとカプノグラム波形の表示領域２５ｂとが確保されているが、二酸化炭素濃度の計測開始前なので具体的な計測結果等については何も表示されていない。
【００４９】
その後、呼気検査が開始されて二酸化炭素濃度の計測中になると、表示部２５のディスプレイ画面は、例えば、図７（ｂ）に示す表示状態に遷移する。すなわち、図示したディスプレイ画面上には、計測部２１が計測した二酸化炭素濃度（ＥｔＣｏ２）の値が二酸化炭素濃度値の表示領域２５ａに表示されるとともに、その値を時系列でプロットして得られるカプノグラム波形がカプノグラム波形の表示領域２５ｂに表示される。ただし、このときのディスプレイ画面上の表示（特に、カプノグラム波形の表示）は、二酸化炭素濃度の計測中であることから、時間の経過に応じて表示内容が変わる掃引表示となる。なお、掃引表示するカプノグラム波形の時間軸スケールについては、例えばガスセンサ１３の駆動周波数に応じて予め規定されたデフォルト設定とすることが考えられる。
【００５０】
また、二酸化炭素濃度の計測中は、Ｎ回（本形態例では６回）の呼吸が行われるので、息を吐き出す期間と息を吸い込む期間とが交互に繰り返されることになる。このことから、二酸化炭素濃度の計測中における表示部２５のディスプレイ画面上には、例えば、センサプローブ１０での呼気測定状態と吸気測定状態とを識別可能にするアイコン画像２５ｃを表示するようにしてもよい。具体的には、呼気測定状態時にはアイコン画像２５ｃを点灯させ、吸気測定状態時にはアイコン画像２５ｃを消灯させることで、それぞれの状態を識別可能にする。このようなアイコン画像２５ｃについては、ガスセンサ１３による測定結果に基づいて計測部２１が二酸化炭素濃度値を計測した上で、その値に応じて呼気開始タイミングと吸気終了タイミングとを認識することで、当該アイコン画像２５ｃの形成および表示を行うことが可能となる。このようなアイコン画像２５ｃを表示すれば、呼気検査の最中において呼気測定状態と吸気測定状態とを識別でき、その呼気検査の進行状況を容易かつ的確に知ることができるので、呼気検査の被検者や検者等にとっては非常に使い勝手がよいものとなる。
【００５１】
ところで、表示部２５のディスプレイ画面上における表示内容は、本体部２０の利用者（すなわち、呼気検査の検者である医療従事者や介護従事者等）が被検者の呼吸器系の換気状態を把握するために供される。そのため、ディスプレイ画面上の表示内容については、被検者の呼吸器系の換気状態の把握の容易化および適切化が図れるものであることが望ましい。具体的には、被検者の呼吸器系の換気状態の把握のために、例えば、カプノグラム波形を解析して当該波形における肺胞相（プラトー）の状態や各回の呼吸毎の波形バラツキ等の適否を判定することがあるが、そのカプノグラム波形の解析を容易かつ適切に行えることが求められる。
【００５２】
しかしながら、特にＮ回（本形態例では６回）の呼吸の開始から終了までを計測単位とする場合、カプノグラム波形を掃引表示したのでは、表示出力のタイミングや態様等によって、カプノグラム波形の解析を的確に行うことが困難になるおそれがある。
【００５３】
そこで、本実施形態の本体部２０においては、呼気検査による二酸化炭素濃度の計測開始後、Ｎ回の呼吸による一つの計測単位分の計測が完了すると、その計測完了時点で、表示部２５のディスプレイ画面上に、例えば、図７（ｃ）に示す表示画像２５ｄを表示出力する。図示した表示画像２５ｄは、表示領域２５ａに表示される二酸化炭素濃度の最大値を含むとともに、表示領域２５ｂに表示されるカプノグラム波形として、一つの計測単位を構成するＮ回の各呼吸期間のそれぞれに対応する各カプノグラム波形（山型の波形）の全てが時系列に沿って画面上に順に並ぶように構成されたものを含んでいる。具体的には、６回の呼吸を一つの計測単位とする場合であれば、１回目の呼吸の呼気開始タイミングを表示基準位置（すなわち、表示領域２５ｂに表示する際の基準となる図中の左端近傍位置）として、１回目の呼吸で得られたカプノグラム波形から６回目の呼吸で得られたカプノグラム波形までの全てが、表示基準位置から時系列に沿って順に並ぶように各回のカプノグラム波形が配置され、これにより一つの計測単位分のカプノグラム波形が構成されている。かかる表示画像２５ｄによれば、一つの計測単位分のカプノグラム波形の全てが並ぶので、当該波形における肺胞相（プラトー）の状態や各回の呼吸毎の波形バラツキ等が一目瞭然となり、その結果としてカプノグラム波形の解析を容易かつ適切に行うことが実現可能となる。
【００５４】
このような表示画像２５ｄは、記憶部２４での記憶内容を基にしつつ、画面制御部２６によって形成される。つまり、画面制御部２６は、一つの計測単位分について計測部２１での計測が完了した時点で、上述した表示画像２５ｄを形成し、その形成した表示画像２５ｄを表示部２５に表示させるのである。このような表示画像２５ｄの表示は、記憶部２４が少なくとも一つの計測単位分の計測部２１による計測結果を記憶しているので、その計測単位分の計測が完了した後であっても行うことが可能である。
【００５５】
ただし、表示画像２５ｄの形成にあたり、単にカプノグラム波形を並べて配置しただけでは、その表示画像２５ｄを表示する表示部２５のディスプレイ画面のサイズとの関係によっては、カプノグラム波形の解析の容易化および適切化を図る上で更なる改善の余地が生じることが考えられる。そこで、本実施形態の本体部２０においては、表示画像２５ｄの形成にあたり、画面制御部２６が以下のような処理を行う。
【００５６】
被検者がＮ回の呼吸に要する時間は、その被検者によってまちまちである。つまり、二酸化炭素濃度（ＥｔＣＯ２）を計測する際における一つの計測単位分の所要時間は、被検者毎に相違する。そのため、時間軸スケールをデフォルト設定としたままで単にカプノグラム波形を並べて配置しただけでは、そのカプノグラム波形の全てがディスプレイ画面内に収まらなかったり、その逆に余白スペースが含まれたりするといったおそれが生じる。
そこで、本実施形態において、画面制御部２６は、表示部２５に表示させる表示画像２５ｄの形成にあたり、一つの計測単位を構成するＮ回の呼吸に要した時間に応じて、形成する表示画像２５ｄにおけるカプノグラム波形の時間軸スケールを調整するようになっている。具体的には、一つの計測単位分の計測が完了した時点で所要時間がわかるので、画面制御部２６は、その所要時間をフルスケールとするように時間軸スケールを調整しつつ、表示画像２５ｄの形成を行う。
このような機能を画面制御部２６が有することにより、表示部２５のディスプレイ画面上には、一つの計測単位分のカプノグラム波形が時間軸方向においてフルスケールで表示される。したがって、カプノグラム波形の解析の容易化および適切化を図る上で非常に好適なものとなる。
【００５７】
また、二酸化炭素濃度（ＥｔＣＯ２）の計測によって得られる二酸化炭素濃度値の大きさについても、被検者毎に相違する。そのため、濃度レンジをデフォルト設定としたままでカプノグラム波形を表示したのでは、当該波形における肺胞相（プラトー）の状態（特に波形変化の状態）等を明確に表示することが困難になるおそれが生じる。
そこで、本実施形態において、画面制御部２６は、表示部２５に表示させる表示画像２５ｄの形成にあたり、計測部２１による二酸化炭素濃度の計測結果（すなわち、計測された二酸化炭素濃度値の大きさ）に応じて、形成する表示画像２５ｄにおけるカプノグラム波形の濃度レンジを調整するようになっている。具体的には、一つの計測単位分の計測が完了した時点で二酸化炭素濃度の最大値がわかるので、画面制御部２６は、予め設定された複数の基準レンジ値のうち、その最大値が対応する基準レンジ値を選択し、選択した基準レンジ値をフルスケールとするように濃度レンジを調整しつつ、表示画像２５ｄの形成を行う。
このような機能を画面制御部２６が有することにより、表示部２５のディスプレイ画面上には、一つの計測単位分のカプノグラム波形が濃度値方向においてフルスケールで表示される。したがって、カプノグラム波形の解析の容易化および適切化を図る上で非常に好適なものとなる。
【００５８】
（表示態様の可変）
以上に説明したように、本実施形態の本体部２０においては、一つの計測単位分のカプノグラム波形の全てが並ぶ表示画像２５ｄを形成し、その表示画像２５ｄを表示部２５のディスプレイ画面上に表示することで、そのカプノグラム波形の解析の容易化および適切化を図っている。
ただし、カプノグラム波形の解析にあたっては、そのカプノグラム波形の一部分に着目する必要が生じることもあり得る。
そこで、本実施形態の本体部２０において、画面制御部２６は、以下に説明するように、本体部２０の利用者による操作部２７の操作に応じて、表示部２５に表示させる表示画像２５ｄの表示態様を可変させ得るようになっている。
【００５９】
（時間軸スケールの可変）
ここで、まず、表示画像２５ｄの表示態様可変の一具体例として、その表示画像２５ｄにおけるカプノグラム波形の時間軸スケールを可変させる場合を例に挙げて説明する。
図８は、本実施形態において、表示画像におけるカプノグラム波形の時間軸スケールを可変させる場合の具体例を示す図である。
【００６０】
図８（ａ）には、一つの計測単位分について計測部２１での計測が完了した時点で、表示部２５が表示する表示画像２５ｄの例を示している。図示した表示画像２５ｄは、被検者によるＮ回（本形態例では６回）の呼吸の所要時間が「２０．６ｓｅｃ」であったため、その所要時間をフルスケールとするように時間軸スケールが調整されている（図中Ａ１参照）。
かかる表示画像２５ｄを表示している状態で、本体部２０の利用者が操作部２７のアップボタン２７ｂを押下すると、表示部２５での表示画像２５ｄの表示態様は、図８（ｂ）に示す態様に遷移する。図示した表示態様は、表示画像２５ｄにおけるカプノグラム波形の時間軸スケールが、予め用意された複数の時間軸スケールのうちの一つである「３２ｓｅｃ」をフルスケールとしたものである（図中Ｂ１参照）。
その状態で、再び、本体部２０の利用者が操作部２７のアップボタン２７ｂを押下すると、表示部２５での表示画像２５ｄの表示態様は、図８（ｃ）に示す態様に遷移する。図示した表示態様は、表示画像２５ｄにおけるカプノグラム波形の時間軸スケールが、予め用意された複数の時間軸スケールのうちの一つである「１６ｓｅｃ」をフルスケールとしたものである（図中Ｃ１参照）。
その状態で、再び、本体部２０の利用者が操作部２７のアップボタン２７ｂを押下すると、表示部２５での表示画像２５ｄの表示態様は、図８（ｄ）に示す態様に遷移する。図示した表示態様は、表示画像２５ｄにおけるカプノグラム波形の時間軸スケールが、予め用意された複数の時間軸スケールのうちの一つである「６．４ｓｅｃ」をフルスケールとしたものである（図中Ｄ１参照）。
その状態で、再び、本体部２０の利用者が操作部２７のアップボタン２７ｂを押下すると、表示部２５での表示画像２５ｄの表示態様は、図８（ｅ）に示す態様に遷移する。図示した表示態様は、表示画像２５ｄにおけるカプノグラム波形の時間軸スケールが、予め用意された複数の時間軸スケールのうちの一つである「３．２ｓｅｃ」をフルスケールとしたものである（図中Ｅ１参照）。
その状態で、再び、本体部２０の利用者が操作部２７のアップボタン２７ｂを押下すると、表示部２５での表示画像２５ｄの表示態様は、図８（ａ）に示す態様に戻る。
このように、表示部２５での表示画像２５ｄの表示態様は、アップボタン２７ｂの操作がある都度、図８（ａ）→図８（ｂ）→図８（ｃ）→図８（ｄ）→図８（ｅ）→図８（ａ）といったように遷移する。
【００６１】
つまり、表示部２５による画面表示を制御する画面制御部２６は、アップボタン２７ｂの押下がある都度、表示画像２５ｄにおけるカプノグラム波形の時間軸スケールを可変させる。そして、時間軸スケールの可変にあたり、予め用意された複数の時間軸スケールのいずれかを、操作部での操作に応じて（具体的には、アップボタン２７ｂの押下がある都度）、選択的に適用するようになっている。このとき、画面制御部２６は、カプノグラム波形の表示基準位置（図例では、１回目の呼吸の呼気開始タイミングの位置）を移動させることなく、そのカプノグラム波形の時間軸スケールを可変させるものとする。
【００６２】
このような時間軸スケールの可変は、記憶部２４が少なくとも一つの計測単位分の計測部２１による計測結果を記憶しているので、アップボタン２７ｂの押下に応じて遷移を循環的に繰り返す態様で行うことができる。
【００６３】
なお、ここでは、一つの計測単位分の所要時間に応じて調整された時間軸スケールの他に、予め用意された複数の時間軸スケールが「３２ｓｅｃ」、「１６ｓｅｃ」、「６．４ｓｅｃ」または「３．２ｓｅｃ」である場合を例に挙げたが、必ずしも複数の時間軸スケールがこれらに限定されることはなく、例えばガスセンサ１３の駆動周波数や画面制御部の処理能力等に応じて適宜設定されたものであればよい。
【００６４】
また、時間軸スケールを可変させる際に、画面制御部２６は、以下のような画像処理を行うものであってもよい。例えば、時間軸スケールのデフォルト設定が「１６ｓｅｃ」である場合に、画面制御部２６は、「３２ｓｅｃ」をフルスケールとする態様への遷移にあたり、デフォルト設定のカプノグラム波形を構成する画素データを必要に応じて間引きする画像処理を行うものであってもよい。また、例えば、画面制御部２６は、「６．４ｓｅｃ」または「３．２ｓｅｃ」をフルスケールとする態様への遷移にあたり、デフォルト設定のカプノグラム波形を構成する画素データを基に、必要に応じて不足画素データを補間する画像処理を行うものであってもよい。このような画像処理を行う機能を画面制御部２６が有していれば、時間軸スケールを可変させる場合であっても、記憶部２４として必要な記憶容量が過大になるのを抑制しつつ、表示態様の遷移後に表示する画像の高画質化を実現することができる。
【００６５】
以上のように、本実施形態の本体部２０においては、アップボタン２７ｂの押下に応じて、表示画像２５ｄにおけるカプノグラム波形の時間軸スケールを可変させる。したがって、例えば、一つの計測単位分のカプノグラム波形の全てを並べて表示させたり、そのカプノグラム波形を構成する山型波形を拡大表示させたりすることを、アップボタン２７ｂの操作に応じて選択的に行うことができる。そのため、カプノグラム波形の解析を行う本体部２０の利用者にとっては利便性に優れたものとなり、カプノグラム波形の解析を容易かつ適切に行う上で非常に好適なものとなる。
【００６６】
（表示基準位置の可変）
続いて、表示画像２５ｄの表示態様可変の他の具体例として、その表示画像２５ｄにおいてカプノグラム波形を並べる際の表示基準位置を可変させる場合を例に挙げて説明する。
図９は、本実施形態において、表示画像においてカプノグラム波形を並べる際の表示基準位置を可変させる場合の具体例を示す図である。なお、図例は、「３．２ｓｅｃ」をフルスケールとする時間軸スケールが適用されている場合を示している。
【００６７】
図９（ａ）には、１回目の呼吸の呼気開始タイミングを表示基準位置として、カプノグラム波形（１回目の呼吸で得られた山型波形）を表示する例を示している（図中Ａ２参照）。
かかる表示をしている状態で、本体部２０の利用者が操作部２７のダウンボタン２７ｃを押下すると、表示部２５での表示態様は、図９（ｂ）に示す態様に遷移する。図示した表示態様は、２回目の呼吸の呼気開始タイミングを表示基準位置として、カプノグラム波形（２回目の呼吸で得られた山型波形）を表示したものである（図中Ｂ２参照）。つまり、２回目の呼吸の呼気開始タイミングである波形立ち上がり位置を表示基準位置として表示するように、カプノグラム波形の全体が移動されているのである。
その状態で、再び、本体部２０の利用者が操作部２７のダウンボタン２７ｃを押下すると、表示部２５での表示画像２５ｄの表示態様は、図９（ｃ）に示す態様に遷移する。図示した表示態様は、３回目の呼吸の呼気開始タイミングを表示基準位置として、カプノグラム波形（３回目の呼吸で得られた山型波形）を表示したものである（図中Ｃ２参照）。つまり、３回目の呼吸の呼気開始タイミングである波形立ち上がり位置を表示基準位置として表示するように、カプノグラム波形の全体が移動されているのである。
その状態で、再び、本体部２０の利用者が操作部２７のダウンボタン２７ｃを押下すると、表示部２５での表示画像２５ｄの表示態様は、図９（ｄ）に示す態様に遷移する。図示した表示態様は、４回目の呼吸の呼気開始タイミングを表示基準位置として、カプノグラム波形（４回目の呼吸で得られた山型波形）を表示したものである（図中Ｄ２参照）。つまり、４回目の呼吸の呼気開始タイミングである波形立ち上がり位置を表示基準位置として表示するように、カプノグラム波形の全体が移動されているのである。
その状態で、再び、本体部２０の利用者が操作部２７のダウンボタン２７ｃを押下すると、表示部２５での表示画像２５ｄの表示態様は、図９（ｅ）に示す態様に遷移する。図示した表示態様は、５回目の呼吸の呼気開始タイミングを表示基準位置として、カプノグラム波形（５回目の呼吸で得られた山型波形）を表示したものである（図中Ｅ２参照）。つまり、５回目の呼吸の呼気開始タイミングである波形立ち上がり位置を表示基準位置として表示するように、カプノグラム波形の全体が移動されているのである。
その状態で、再び、本体部２０の利用者が操作部２７のダウンボタン２７ｃを押下すると、表示部２５での表示画像２５ｄの表示態様は、図９（ｆ）に示す態様に遷移する。図示した表示態様は、６回目の呼吸の呼気開始タイミングを表示基準位置として、カプノグラム波形（６回目の呼吸で得られた山型波形）を表示したものである（図中Ｆ２参照）。つまり、６回目の呼吸の呼気開始タイミングである波形立ち上がり位置を表示基準位置として表示するように、カプノグラム波形の全体が移動されているのである。
その状態で、再び、本体部２０の利用者が操作部２７のダウンボタン２７ｃを押下すると、表示部２５での表示画像２５ｄの表示態様は、図９（ａ）に示す態様に戻る。
このように、表示部２５での表示画像２５ｄの表示態様は、ダウンボタン２７ｃの操作がある都度、図９（ａ）→図９（ｂ）→図９（ｃ）→図９（ｄ）→図９（ｅ）→図９（ｆ）→図９（ａ）といったように遷移する。
【００６８】
つまり、表示部２５による画面表示を制御する画面制御部２６は、ダウンボタン２７ｃの押下がある都度、表示画像２５ｄにおいてカプノグラム波形を並べる際の表示基準位置を可変させる。具体的には、画面制御部２６は、表示基準位置として、計測単位を構成するＮ回の呼吸のそれぞれに対応する各カプノグラム波形の波形立ち上がり位置（すなわち、呼気開始タイミングの位置）のいずれかを、ダウンボタン２７ｃの操作に応じて選択的に適用する。そして、選択的に適用したいずれかの表示基準位置に従い、Ｎ回の呼吸のそれぞれに対応するカプノグラム波形の山型波形の並び順を入れ換える。これにより、表示基準位置として適用された回の山型波形は、並び順の先頭に配置されることになる。
【００６９】
以上のように、本実施形態の本体部２０においては、上述したようにカプノグラム波形の時間軸スケールを可変させ得ることに加えて、ダウンボタン２７ｃの押下に応じて、表示画像２５ｄにおいてカプノグラム波形を並べる際の表示基準位置を可変させる。したがって、例えば、カプノグラム波形を構成する山型波形を拡大表示する時間軸スケールを選択した状態で、そのカプノグラム波形を並べる際の表示基準位置を可変させるようにすれば、一つの計測単位を構成するＮ回の呼吸のそれぞれに対応する各カプノグラム波形（山型波形）のうちのいずれかを表示部２５に拡大表示させることが、ダウンボタン２７ｃの操作に応じて選択的に行うことができる。そのため、カプノグラム波形の解析を行う本体部２０の利用者にとっては、特に当該波形における肺胞相（プラトー）の状態を判定する場合に、非常に利便性に優れたものとなり、カプノグラム波形の解析を容易かつ適切に行う上で非常に好適なものとなる。
【００７０】
なお、ここでは、「３．２ｓｅｃ」をフルスケールとする時間軸スケールを適用した状態で、カプノグラム波形を並べる際の表示基準位置を可変させる場合を例に挙げたが、時間軸スケールの可変と表示基準位置の可変とは、それぞれを別個独立に行うことが可能である。例えば、一つの計測単位分の所要時間に応じて調整された時間軸スケールが適用されている状態（例えば、図７（ｃ）または図８（ａ）に示す状態）であっても、ダウンボタン２７ｃの操作があれば、カプノグラム波形を並べる際の表示基準位置を可変させることが可能である。その場合に、画面制御部２６は、ダウンボタン２７ｃの操作に応じて、表示基準位置を可変させつつ、カプノグラム波形の山型波形の並び順を入れ換えて表示部２５に表示させることになる。
【００７１】
＜３．本実施形態の効果＞
本実施形態によれば、以下に述べる一つまたは複数の効果を奏する。
【００７２】
（ａ）本実施形態では、Ｎ回の呼吸の開始から終了までを一つの計測単位としつつ、被検者の呼気に含まれる二酸化炭素濃度（ＥｔＣＯ２）を計測する一方で、その計測結果として、その計測単位分を構成するＮ回の呼吸のそれぞれの対応するカプノグラム波形の全てが画面上に並ぶ表示画像２５ｄを表示出力する。かかる表示画像２５ｄによれば、一つの計測単位分のカプノグラム波形の全てが並ぶので、当該波形における肺胞相（プラトー）の状態や各回の呼吸毎の波形バラツキ等が一目瞭然となり、その結果としてカプノグラム波形の解析を容易かつ適切に行うことが実現可能となる。つまり、本実施形態によれば、Ｎ回の呼吸の開始から終了までを一つの計測単位とする場合であっても、その計測単位分のカプノグラム波形の解析を的確に行えるので、被検者の呼吸器系の換気状態の把握にあたり、その把握の容易化および適切化が図れる。
なお、本実施形態では、Ｎ（Ｎの値は、好ましくは、６またはその前後の５以上７以下）回の呼吸の開始から終了までを一つの計測単位とするので、動脈血中の二酸化濃度を測定しなくても、ＣＯＰＤの診断をより正確に行うことが可能となる。
また、Ｎ回の呼吸を被験者に行わせる場合であっても、少なくとも一つの計測単位分の計測結果を記憶部２４が記憶するので、その計測単位分の計測が完了した後に、当該計測単位分のカプノグラム波形の全てが並ぶ表示画像２５ｄを形成することができる。つまり、少なくとも一つの計測単位分の計測結果を記憶しておくことにより、その結果として、カプノグラム波形の解析の容易化および適切化が実現可能となる。
【００７３】
（ｂ）本実施形態では、一つの計測単位について計測部２１での計測が完了した時点で、当該計測単位分のカプノグラム波形の全てが並ぶ表示画像２５ｄを表示部２５が表示する。そのため、本体部２０の利用者による操作を要することなく、その表示画像２５ｄが表示されることになるので、本体部２０の利用者にとっては利便性に優れたものとなる。
【００７４】
（ｃ）本実施形態では、表示画像２５ｄの表示にあたり、一つの計測単位を構成するＮ回の呼吸に要した時間に応じて、その表示画像におけるカプノグラム波形の時間軸スケールが調整されるようになっている。つまり、Ｎ回の呼吸に要する時間が被検者によってまちまちであっても、表示部２５のディスプレイ画面上には、一つの計測単位分のカプノグラム波形が時間軸方向においてフルスケールで表示される。そのため、カプノグラム波形の解析の容易化および適切化を図る上で非常に好適なものとなる。
【００７５】
（ｄ）本実施形態では、表示画像２５ｄの表示にあたり、計測部２１による二酸化炭素濃度（ＥｔＣＯ２）の計測結果に応じて、その表示画像２５ｄにおけるカプノグラム波形の濃度レンジが調整されるようになっている。つまり、計測によって得られる二酸化炭素濃度値の大きさが被検者毎に相違する場合であっても、表示部２５のディスプレイ画面上には、一つの計測単位分のカプノグラム波形が濃度値方向においてフルスケールで表示される。そのため、カプノグラム波形の解析の容易化および適切化を図る上で非常に好適なものとなる。
【００７６】
（ｅ）本実施形態では、本体部２０の利用者による操作部２７の操作に応じて、表示部２５に表示させる表示画像２５ｄの表示態様を可変させ得るようになっている。そのため、例えば、カプノグラム波形の解析にあたり、例えば、そのカプノグラム波形の一部分に着目するといったことにも容易かつ柔軟に対応することが可能となり、その結果として、カプノグラム波形の解析の容易化および適切化を図る上で非常に好適なものとなる。
【００７７】
（ｆ）本実施形態では、表示画像２５ｄの表示態様の可変にあたり、当該表示画像２５ｄにおけるカプノグラム波形の時間軸スケールを可変させ得るようになっている。したがって、例えば、一つの計測単位分のカプノグラム波形の全てを並べて表示させたり、そのカプノグラム波形を構成する山型波形を拡大表示させたりすることを、選択的に行うことができる。そのため、カプノグラム波形の解析を行う本体部２０の利用者にとっては利便性に優れたものとなり、カプノグラム波形の解析を容易かつ適切に行う上で非常に好適なものとなる。
【００７８】
（ｇ）本実施形態では、カプノグラム波形の時間軸スケールの可変にあたり、予め用意された複数の時間軸スケールのいずれかを、アップボタン２７ｂの操作に応じて選択的に適用する。そのため、カプノグラム波形の時間軸スケールを可変させる際の処理負荷増大を抑制することができる。しかも、アップボタン２７ｂを操作するだけでよいので、時間軸スケール可変のための操作性が良好なものとなる。
【００７９】
（ｈ）本実施形態では、表示画像２５ｄの表示態様の可変にあたり、当該表示画像２５ｄにおいてカプノグラム波形を並べる際の表示基準位置を可変させ得るようになっている。したがって、例えば、カプノグラム波形を構成する山型波形のいずれかに選択的に着目するといったことにも容易かつ柔軟に対応することが可能となり、その結果として、カプノグラム波形の解析の容易化および適切化を図る上で非常に好適なものとなる。
【００８０】
（ｉ）本実施形態では、カプノグラム波形を並べる際の表示基準位置の可変にあたり、当該表示基準位置として、一つの計測単位を構成するＮ回の呼吸のそれぞれに対応する各カプノグラム波形の波形立ち上がり位置のいずれかを、ダウンボタン２７ｃの操作に応じて選択的に適用する。そのため、Ｎ回分の各カプノグラム波形（山型波形）に対して統一した基準の表示基準位置を適用することになり、各カプノグラム波形の並び順の入れ換えを容易かつ適切に行うことができる。しかも、ダウンボタン２７ｃを操作するだけでよいので、表示基準位置可変のための操作性が良好なものとなる。
【００８１】
（ｊ）本実施形態では、一つの計測単位を構成するＮ回の呼吸のそれぞれに対応する各カプノグラム波形のうちのいずれかを、操作部２７での操作に応じて選択的に表示部２５に表示させ得るようになっている。そのため、Ｎ回分の各カプノグラム波形のうちのいずれかに着目して、その着目した波形における肺胞相（プラトー）の状態を判定する、といったことを確実に行うことが実現可能となり、カプノグラム波形の解析を容易かつ適切に行う上で非常に好適なものとなる。
【００８２】
（ｋ）本実施形態では、操作部２７におけるアップボタン２７ｂおよびダウンボタン２７ｃを、表示部２５が画面表示を行う際の表示態様を可変させるための操作ボタンとして兼用する。そのため、表示態様の可変を実現可能にする場合であっても、操作部２７の構成の複雑化を抑制することができる。また、カプノグラム波形の時間軸スケールの可変をアップボタン２７ｂで行い、カプノグラム波形を並べる際の表示基準位置の可変をダウンボタン２７ｃで行うといったように、各ボタン２７ｂ，２７ｃに役割を分担して担わせることで、本体部２０の利用者にとっての操作性向上が図れる。
【００８３】
（ｌ）本実施形態では、ガスセンサ１３による測定結果に基づいて呼気開始タイミングと吸気終了タイミングとを認識することで、二酸化炭素濃度の計測中における表示部２５のディスプレイ画面上に、センサプローブ１０での呼気測定状態と吸気測定状態とを識別可能にするアイコン画像２５ｃを表示する。このようなアイコン画像２５ｃを表示すれば、呼気検査の最中において呼気測定状態と吸気測定状態とを識別でき、その呼気検査の進行状況を容易かつ的確に知ることができるので、呼気検査の被検者や検者等にとっては非常に使い勝手がよいものとなる。
【００８４】
（ｍ）本実施形態では、一つの計測単位分についての処理が完了した時点で、その旨の音出力を音出力部２８が行うので、呼気検査の被検者や検者等に対して、検査終了を報知することができる。したがって、表示部２５での画面表示を視認していなくても、検査終了を容易かつ的確に知ることができるので、呼気検査の被検者や検者等にとっては非常に使い勝手がよいものとなる。
【００８５】
＜４．変形例等＞
以上、本発明の実施形態について具体的に説明したが、本発明は上述の実施形態に限定されるものではなく、その要旨を逸脱しない範囲で種々変更可能である。
【００８６】
本実施形態においては、センサプローブ１０と本体部２０との間の信号や電力のやり取りを、ケーブル１５を介して行う構成としたが、これに代えてワイヤレス通信やワイヤレス給電により行う構成としてもよい。
【００８７】
また、本発明に係る呼気検査装置は、ＣＯＰＤの診断または治療のために医療機関を訪れた者や、定期健診を受ける者、あるいは在宅療養中の患者などを対象に、ＥｔＣＯ２を測定する場合に広く適用可能である。
【符号の説明】
【００８８】
１…呼気検査装置、１０…センサプローブ、１１…ケース、１２…エアウェイ部材、１３…ガスセンサ、１４…マウスピース、２０…本体部、２１…計測部、２２…カウント部、２３…検知部、２４…記憶部、２５…表示部、２５ｃ…アイコン画像、２５ｄ…表示画像、２６…画面制御部、２７…操作部
【図１】
2020074943.tif 000003
【図２】
2020074943.tif 000004
【図３】
2020074943.tif 000005
【図４】
2020074943.tif 000006
【図５】
2020074943.tif 000007
【図６】
2020074943.tif 000008
【図７】
2020074943.tif 000009
【図８】
2020074943.tif 000010
【図９】
2020074943.tif 000011